(57)【要約】【課題】完工検査時の見え難い裏側、配管等の内部、天井裏の暗い場所での点検・検査作業が容易に行える検査鏡を提供する。【解決手段】検査鏡は、伸縮可能な操作棒と、該操作棒の先端に鏡面の向きが調整可能に取り付けられた鏡部とから成り、鏡部の中心部を通る軸が回転軸となるようにフレームを介して鏡部が操作棒の先端に取り付けられる。また、操作棒の先端に光源（ＬＥＤライト）が設けられ、常に鏡の中心に向けて光を照射し得る配置となっている。更に、鏡部は、両側とも鏡面となっており、一方の鏡面が平面鏡で、他方の鏡面が拡大鏡（凹面鏡）である。【選択図】図１
0003134387.tif 000002
【実用新案登録請求の範囲】
【請求項１】
伸縮可能な操作棒１１と、該操作棒１１の先端に鏡面の向きが調整可能に取り付けられた鏡部１２とから成る検査鏡１において、前記鏡部１２がフレーム１３を介して、その中心部を通る軸が回転軸となるように前記操作棒１１の先端に取り付けられていることを特徴とする検査鏡。
【請求項２】
前記操作棒１１の先端に、光源１４が設けられていることを特徴とする請求項１に記載の検査鏡。
【請求項３】
前記鏡部１２は、両側とも鏡面となっており、一方の鏡面が平面鏡で、他方の鏡面が拡大鏡（凹面鏡）であることを特徴とする請求項１又は２に記載の検査鏡。
【考案の詳細な説明】
【技術分野】
【０００１】
本考案は、検査時の見え難い裏側、配管等の内部、天井裏の暗い場所で好適に使用可能な検査鏡に関するものである。
【背景技術】
【０００２】
従来から、下水管点検などに利用する点検用具として、伸縮可能な操作棒と、該操作棒の先端に鏡面の向きが調整可能に取り付けられた鏡部とから成る検査鏡が知られている。
例えば、伸縮可能な操作棒と、この操作棒の先端に鏡面の向きが調整可能に取り付けられた反射鏡と、操作棒に取り付けられたブラケットと、このブラケットに着脱可能に取り付けられた光源とを具備している点検用具が知られている（特許文献１を参照）。
また、操作棒の先端に、反射鏡の基端側が角度可変に取り付けられ、この反射鏡の先端側が被点検管の内径よりやや小さい半径の円弧状に形成されているとともに、反射鏡の外周縁を保護する縁部材を備え、この縁部材が反射鏡の先端側部分を他よりも幅広に形成されている点検用具が知られている（特許文献２を参照）。
【０００３】
【特許文献１】特開２００１−２０１６９５号公報
【特許文献２】実登３０４４９２１号公報
【考案の開示】
【考案が解決しようとする課題】
【０００４】
従来の点検用具の場合、操作棒の先端に鏡部の基端側が角度可変に取り付けられており、すなわち、鏡部の端部と操作棒の先端部とがヒンジや玉継手などで接続されている。
このため、鏡の片側の面が専ら使用される傾向にあり、例えば平面鏡と拡大鏡を使い分けるようなことはできなかった。
また、操作棒に光源が取り付けられているものがあるが、その光源の向きの調節が煩雑であり面倒であった。
【０００５】
本考案は、上記の問題点を解決し、完工検査時の見え難い裏側、配管等の内部、天井裏の暗い場所での点検・検査作業が容易に行える検査鏡を提供することにある。
【課題を解決するための手段】
【０００６】
上記目的を達成するため、本考案の検査鏡は、伸縮可能な操作棒と、該操作棒の先端に鏡面の向きが調整可能に取り付けられた鏡部とから成る検査鏡において、鏡部がフレームを介して、その中心部を通る軸が回転軸となるように操作棒の先端に取り付けられている構成とされる。
鏡部がフレームを介して、その中心部を通る軸が回転軸となるように操作棒の先端に取り付けられているため、鏡部が中心部を通る軸を中心に回転でき、鏡部の角度、傾度調整の自由度が向上すると共に、鏡部の両面を用いることが可能となる。
なお、操作棒は、アルミ金属で作製される方がよい。軽く耐久性に優れているからである。また、操作棒が伸縮自在に構成されているため、従来例のようにパイプを継ぎ足したり離脱させたりすることなく、検査部分の位置の変化に容易に対応することができ作業性に優れる。また、操作棒の把持部は、耐久性の樹脂グリップを設け、持ちやすさを向上する方がよい。
【０００７】
ここで、操作棒の先端に光源が設けられていることが好ましい。上述したように、本考案の検査鏡は、鏡部が中心部を通る軸を中心に回転し得るため、光源は、常に鏡の中心に向けて光を照射し得る配置となる。従って、被検査対象物への光源照射が非常に効率よく行うことが可能となる。この光源には、例えば、ＬＥＤライトが好適に使用可能である。ＬＥＤライトを用いることで耐久性、耐寿命が向上する。
【０００８】
また、鏡部は、両側とも鏡面となっており、一方の鏡面が平面鏡で、他方の鏡面が拡大鏡（凹面鏡）であることが好ましい。このような構成とすることで、通常の観察では平面鏡の面を用いて観察し、より詳しく観察したい場合には、鏡部をその中心部を通る軸を中心に回転して、拡大鏡の面を用いて観察することができる。
【考案の効果】
【０００９】
本考案の検査鏡は、完工検査時の見え難い裏側、配管等の内部、天井裏の暗い場所で好適に使用される。
【考案を実施するための最良の形態】
【００１０】
以下、本考案の実施例について、以下、図面を参照しながら詳細に説明していく。
【実施例１】
【００１１】
実施例１の検査鏡は、図１に示すように、伸縮可能な操作棒１１と、その操作棒１１の先端に鏡面の向きが調整可能に取り付けられた鏡部１２とから構成されている。そして、鏡部１２の中心部を通る軸が回転軸となるように略Ｕ字型のフレーム１３を介して、鏡部１２が操作棒１１の先端に取り付けられている。
【００１２】
操作棒１１は、その軸方向に伸縮自在に構成されており、把持部１１Ａから先端に向けて漸次径が小となるパイプ１１ａ〜１１ｄを入れ子状に連結したものであって、パイプ１１ａ内にパイプ１１ｂが、パイプ１１ｂ内にパイプ１１ｃが、パイプ１１ｃ内にパイプ１１ｄがそれぞれ収納自在となるよう構成している。大径のパイプから小径のパイプを引き出すことができるとともに、一定長さ引き出したときに抜け出すことなくその位置に止まるように形成されている。
操作棒１１は、強度に優れたグラスファイバー製のパイプを用い、その全長が１〜５ｍ程度の範囲で伸縮自在になっている。
【００１３】
また、鏡部１２は円形であり、その直径の両端部２箇所を略Ｕ字型のフレーム１３が支えている。より詳しくは、図２に示すように、鏡部１２はフレーム１３により支持される２箇所を結ぶ軸を回転軸として回動自在になるように、締め付けネジで取り付けられている。
【００１４】
また、鏡部１２は、図３に示すように、両側とも鏡面となっており、一方の鏡面が平面鏡１２ａで、他方の鏡面が拡大鏡１２ｂに構成されている。この拡大鏡１２ｂは、具体的には凹面鏡である。拡大鏡１２ｂで観察することにより、より詳細に検査できることになる。
【００１５】
また、操作棒１１の先端には光源としてのＬＥＤライト１４が設けられている。ＬＥＤライト１４は、パイプ１１ｄの先端に取り付けられ、図示しない電池から電力が供給されるようになっている。ＬＥＤライト１４自身が回転スイッチとなっており、電源の入り切りを行う。
鏡部１２は、図４に示すように、フレーム１３を介してパイプ１１ｄの先端部に、回転自在に取り付けられており、ＬＥＤライト１４からの光を反射できるようになっている。
【実施例２】
【００１６】
図５に、実施例２の検査鏡の構成図を示す。実施例２の検査鏡においては、実施例１の検査鏡と異なり、フレーム１３Ａが、鏡部１２の可動範囲の先まで延長されている。これにより、検査鏡の端が壁に衝突することにより、鏡部１２が破損することを防止している。
【実施例３】
【００１７】
実施例３の検査鏡は、図６に示すように、鏡部１２が六角形の形をしている。六角の角は鋭角にせず、丸みを帯びるように形成している。これにより、壁に傷をつけないようにしている。
【産業上の利用可能性】
【００１８】
本考案の検査鏡によれば、建築工事・土木工事・設備工事・電気工事などで検査時に直接見ることが困難な場所に利用することができる。
【図面の簡単な説明】
【００１９】
【図１】実施例１の検査鏡の構成図
【図２】鏡部とフレームの構成図
【図３】鏡部の拡大図
【図４】実施例１の検査鏡の使用イメージ図
【図５】実施例２の検査鏡の構成図
【図６】実施例３の鏡部とフレームの構成図
【符号の説明】
【００２０】
１    検査鏡
１１  操作棒
１２  鏡部
１２ａ  平面鏡
１２ｂ  拡大鏡
１３，１３Ａ  フレーム
１４  光源（ＬＥＤライト）
１５  締付け螺子
２０  配管
【図１】
0003134387.tif 000003
【図２】
0003134387.tif 000004
【図３】
0003134387.tif 000005
【図４】
0003134387.tif 000006
【図５】
0003134387.tif 000007
【図６】
0003134387.tif 000008
【手続補正書】
【提出日】平成19年6月10日(2007.6.10)
【手続補正１】
【補正対象書類名】実用新案登録請求の範囲
【補正対象項目名】請求項３
【補正方法】変更
【補正の内容】
【請求項３】
前記鏡部１２は、両側とも鏡面となっており、一方の鏡面が平面鏡で、他方の鏡面が拡大鏡であることを特徴とする請求項１又は２に記載の検査鏡。